(57)【要約】　　　（修正有）【課題】簡単に使え、偽造しにくく、構造が簡単なパチンコ景品交換用カードを提供する。【解決手段】暗号化されたＩＤを貯蔵したＩＣチップ１１０と、該ＩＣチップの電極に接続されたアンテナワイヤ１３０を第１面に形成したベースプレート１００と、ベースプレート１００の第１面を封止するカバーシートよりなる景品交換用カードであって。景品交換用カードのカバーシートは一面に粘着層２１０が形成されてベースプレート１００と粘着されるように形成され、またベースプレート１００の一側には陥入部が形成されてＩＣチップ１１０が挿入、固定される。【選択図】　図１
2004021977.tif 000002
【特許請求の範囲】
【請求項１】
当籤した景品と交換するための景品交換用カードであって、暗号化されたＩＤを貯蔵したＩＣチップ（１１０）と、該ＩＣチップの電極（１１１）に接続されたアンテナ（１３０）を第１面に備えるベースプレート（１００）と、該ベースプレートの第１面を封止するカバーシート（２００）とを含む景品交換用カード。
【請求項２】
前記カバーシート（２００）は一面に粘着層（２１０）が形成され、前記粘着層は前記ベースプレートの第１面に粘着される、請求項１に記載の景品交換用カード。
【請求項３】
前記ＩＣチップは一面にモルディング部（１１２）が形成され、前記ベースプレートには陥入部（１２０）が形成され、前記モルディング部（１１２）は前記陥入部に挿入される、請求項１に記載の景品交換用カード。
【請求項４】
前記ＩＣチップは保安プログラムを含む、請求項１に記載の景品交換用カード。
【請求項５】
前記カバーシートの表面に景品の中身を特定するための手段を設けた、請求項１ないし４のいずれ１項に記載の景品交換用カード。
【請求項６】
前記ＩＣチップ、該ＩＣチップの電極に接続されたアンテナを第１面に設けたベースプレート、及び前記ベースプレートの第１面を封止するカバーシートを含む景品交換用カードの前記ＩＣチップに暗号化されたＩＤを貯蔵すること、前記暗号化されたＩＤを別の記憶装置に貯蔵すること、景品に当籤した対象者に前記景品交換用カードを提供することを含む景品交換用カードの偽造防止方法。
【請求項７】
前記暗号化されたＩＤはカード毎に違う固有のシリアルナンバーである、請求項６に記載の景品交換用カードの偽造防止方法。
【請求項８】
提示された景品交換用カードの暗号化されたＩＤを確認すること、前記確認されたＩＤと前記別の記憶装置に貯蔵されたＩＤとを比較すること含む、請求項６に記載の景品交換用カードの偽造防止方法。
【請求項９】
前記対象者に景品を提供した後、前記別の記憶装置に前記発行番号の景品交換用カードに対して景品が支給された事実を表示することを含む、請求項８に記載の景品交換用カードの偽造防止方法。
【発明の詳細な説明】
【０００１】
【発明の属する技術分野】
本発明は景品交換用カードに関する。より具体的に本発明は景品と交換するための手段として、発行者のＩＤを暗号化して貯蔵したＩＣチップをベースプレートに埋設し、ステッカーで封止した景品交換用カードに関する。
【０００２】
【従来の技術】
経済生活の構造が多様になって競争が熾烈になるに伴って、最近多様な行事を通じて景品を提供することにより消費者の関心を引こうとする場合が多い。このような行事で当籤した消費者には約束の景品が与えられるが、当該景品は郵便や宅配などを通じて与えられる場合もあるが、即席で直接消費者に与えられる場合もある。即席で消費者に景品を与えるべき場合において、景品が、消費者が所持するに簡便な場合には問題はないが、その体積が大きいものや重いものは消費者に直接提供し難い。このような問題点に対する解決策として、消費者が当籤された景品に該当する交換チケットやそれに相当する証票を提供し、後に所定の場所で受領するようにする方法が提示されたが、チケットや証票の複製が容易で偽造チケットなどが流通される問題点が新しく発生した。
【０００３】
特に、日本などで運営されるスロットマシーンゲーム場（俗称「ぱちんこゲーム場」）ではゲームの結果によって景品が与えられるが、ゲームをする途中に景品をすぐ受領することが容易でない。したがって、景品カードが導入されたが、従来の景品カードは図３に示すように、カード自体の外見、即ち模様と色相を景品の種類によって変えて形成し、カード表面の両側部に形成された磁気テープ（３００）に赤外線バーコード（３１０）を挿入することによりカードの真正を識別した。しかし、このようなバーコードは赤外線カメラを通じて容易に露出され、これによる偽造問題が深刻になった。
【０００４】
それで、本発明者はベースプレートに暗号化されたコードを貯蔵したＩＣチップを埋設した景品交換用カードを開発することに至る。本発明に係る景品交換用カードは電子部品を埋設したメインシートの上に多数のオーバーシートを接着した従来の非接触式ＩＣカードとは違いに、ベースプレートに直接ＩＣチップを埋設することにより生産工程を単純化してずっと経済的に生産を増加させることができる長所を有する。
【０００５】
【発明が解決しようとする課題】
本発明の目的は、簡便に使える景品交換用カードを提供することにある。
【０００６】
本発明の他の目的は、偽造ができない景品交換用カードを提供することにある。
【０００７】
本発明のまた他の目的は、オーバーシートを有しない超簡単構造の景品交換用カードを提供することにある。
【０００８】
本発明のさらに他の目的は、一面に粘着層が形成されたカバーステッカーにより封止される景品交換用カードを提供することにある。
【０００９】
本発明のさらに他の目的は、景品交換用カードの偽造防止方法を提供することにある。
【００１０】
【課題を解決するための手段】
本発明の前記及びその他の目的は、下記に説明される本発明により全て達成できる。
【００１１】
本発明の一側面によると、暗号化されたＩＤを貯蔵したＩＣチップ、及び該ＩＣチップの電極に接続されたアンテナを第１面に形成したベースプレート及び前記ベースプレートの第１面を封止するカバーシートよりなる景品交換用カードを提供する。前記景品交換用カードのカバーシートは、一面に粘着層が形成されて前記ベースプレートと粘着されるように形成することができ、また前記ベースプレートの一側には陥入部が形成されて前記ＩＣチップが挿入、固定されることができる。
【００１２】
本発明の他の側面によると、ＩＣチップ及び前記ＩＣチップの電極に接続されるアンテナを第１面に形成したベースプレート、及び前記ベースプレートの第１面を封止するカバーシートよりなる景品交換用カードの前記ＩＣチップに暗号化されたＩＤを貯蔵し、前記暗号化されたＩＤを別の記憶装置に貯蔵し、そして景品が当籤された対象者に前記景品交換用カードを提供する段階よりなる、景品交換用カードの偽造防止方法を提供する。
【００１３】
【発明の実施の形態】
図１は本発明に係る景品交換用カードの概略的な構成図である。本発明に係る景品交換用カードはＩＣチップ１１０及びアンテナ１３０が形成されたベースプレート１００と前記ベースプレートを封止するためのカバーシート２００よりなる。ベースプレート１００は一定の厚さを有する合成樹脂板として、好ましくはＡＢＳ樹脂で鋳型または成形制作されることができる。
【００１４】
本発明に係る景品交換用カードは、下記に説明されるように、別のオーバーシートを有していないため、ベースプレート１００においてアンテナ１３０が形成される面（以下「第１面」という。）とその反対面（以下「第２面」という）との間には十分な厚さがあるのが好ましく、より好ましくは前記ベースプレート１００が従来のカードにおいてオーバーシートの役割をすることができるように、第２面にはコーティング処理をしたり、または印刷などが可能な状態に処理する。またベースプレート１００の縁に段部を形成することによりカバーシート２００が前記段部の内側に固定されるようにすることもできる。ＩＣチップ１１０は従来の非接触ＩＣカードのようにカードリーダー／ライターを通じて読んだりまたは書くことができるメモリーを備える。
【００１５】
本発明に係る景品交換用カードはバーコードを通じて真偽を確認した従来のカードとは違い、ＩＣチップ及びアンテナをカードの内部に形成した非接触ＩＣカードの構造を有することにより偽造が容易でないという利点を有する。さらに、ＩＣチップ１１０に発行者のＩＤを暗号化して貯蔵することにより追加的な偽造防止策を備える効果を有する。前記発行者のＩＤを暗号化する方法としては、発行者のＩＤまたは複数の位の秘密番号を入力したり、保安プログラムを選択的にまた追加的に貯蔵しておくこともできる。
【００１６】
具体的に、カード毎にそれぞれ異なる固有シリアルナンバーを前記ＩＣチップのＲＯＭに貯蔵しておくことにより登録されていないシリアルナンバーの使用を防止する。このため、発行者は本発明に係る景品交換用カードを発行することにおいて、発行番号を前記ＩＣチップに貯蔵し、同時に別の貯蔵媒体（例えば、前記カードリーダー／ライターの記憶装置）に前記発行番号を貯蔵しておくことにより、同一の発行番号を有する複数のカードで景品を交換することができないようにする。即ち、景品交換のため消費者が交換用カードを提示すると、カードリーダーはＩＣチップに貯蔵された発行番号を読み、記憶装置に貯蔵された発行番号リストと比較することにより、前記発行番号が正当に登録されたか否かを確認する。
【００１７】
消費者が景品交換用カードを提示することにより前記カードに対する景品が提供された場合には、前記記憶装置に貯蔵された発行番号に該当する景品カードに対しては景品が提供されたという表示を前記記憶装置に貯蔵することにより、同一な発行番号に対して二重に景品が受領されることを防止する。即ち、景品交換用カードを複製した場合にも、同一な発行番号を有する限り、二重に景品を受領することができないようにするのである。なお、前記発行番号はアラビア数字だけでなく文字なども可能である。
【００１８】
他の偽造防止策として、特定アルゴリズムを通じて前記ＩＣチップのデータを変形することにより、前記アルゴリズムを符号化することができるプログラムを通じるだけにそのデータを解読することができるようにする。より好ましくは前記ＩＣチップの貯蔵領域を多数のセクションに分離し、それぞれのセクション毎にシリアルナンバーを貯蔵し、これをカード製造会社、カード使用業体などが管理することができる。これは保安プログラムと関連分野の通常の知識を有する者により容易に実施できる。
【００１９】
本発明に係る景品交換用ＩＣチップはその外部を特定の形状または模様に形成することにより対応する景品の内容を特定し、前記ＩＣチップには発行者の情報を貯蔵する。この時、景品がなんだかを特定するための手段としてはカードの形状を円形、矩形、三角形などに多様に形成したり、またはカードの模様は同一でその表面に多様な模様を形成することができる。必要に応じて、景品の内容に関する情報も前記ＩＣチップに貯蔵することもできる。
【００２０】
ＩＣチップ１１０は電極１１１とモルディング部１１２とを備え、電極１１１はアンテナ１３０のワイヤの両端部に接続され、モルディング部１１２はＩＣチップを保護するために形成される。ＩＣチップ１１０はメインシート１００の一側に形成された陥入部１２０に挿入、固定されるが、これのため前記陥入部１２０の大きさは前記ＩＣチップの電極を除外した部分とほぼ同一に形成され、その深さは前記ＩＣチップのモルディング部の厚さとほぼ同一に形成されることにより、前記モルディング部が前記陥入部１２０に挿入、固定されるようにするのが好ましい。ベースプレート１００を鋳型制作することにより陥入部１２０を望む大きさ及び厚さに制作することが非常に容易になる。
【００２１】
アンテナ１３０は前記メインシートの第１面の所定の位置に形成する。好ましくは絶縁皮膜を有するワイヤを前記メインシートの外周に沿ってワインディングすることにより形成することができる。アンテナ１３０の両端部は前記ＩＣチップ１１０の電極１１１に電気的に接続させる。アンテナ１３０を前記メインシートの第１面に形成することにおいては溶融圧着、導電性ペーストを通じる接着、及び超音波を用いて溶融することによりできる。
【００２２】
カバーシート２００はＩＣチップ１１０及びアンテナ１３０が形成されたベースプレート１００の第１面を封止するためのものとして、好ましくは一面には粘着層を形成して前記粘着層がメインシート１００の第１面に粘着されるようにする。より好ましくは一面に粘着層が形成された通常のリリースペーパーまたはステッカーを用いることもできる。
【００２３】
図２は図１の景品交換用カードをＡ−Ａ′線に沿って切断した断面図である。図２に示すように、本発明に係る景品交換用カードはベースプレート１００、ＩＣチップ１１０、アンテナ１３０、及びカバーシート２００よりなる極めて単純な構造を有する。ＩＣチップ１１０の電極１１１部分は前記ベースプレートの第１面の上に位置し、モルディング部１１２は前記ベースプレートに形成された陥入部１２０に埋設、固定される。
【００２４】
【発明の効果】
本発明に係る景品交換用カードは、偽造が不可能であり、かつ簡単な構造で経済的に生産することができる。
【図面の簡単な説明】
【図１】本発明に係る景品交換用カードの概略的な構成図である。
【図２】図１の景品交換用カードをＡ−Ａ′線に沿って切断した断面図である。
【図３】従来の景品カードを赤外線で透視した透視図である。
【符号の説明】
１００　ベースプレート
１１０　ＩＣチップ
１１１　電極
１１２　モルディング部
１２０　陥入部
１３０　アンテナワイヤ
２００　カバーステッカー
２１０　粘着層
３００　磁気テープ
３１０　バーコード
【図１】
2004021977.tif 000003
【図２】
2004021977.tif 000004
【図３】
2004021977.tif 000005